(57)【要約】【課題】連窓の改装において、簡易な構成で室内側への雨水の浸入を防止できる改装用連窓を提供する。【解決手段】上枠１３は一端を方立側竪枠９の見込み面に他端を躯体側竪枠１１の見込み面に当接してあり、方立側竪枠９と方立３との間の空間１７の室内側部は気密に保持してあり、躯体２及び既設竪枠２４と躯体側竪枠１１との間の空間２１、２６の室内側部は気密に保持してあり、躯体２及び既設上枠３６と上枠１３との間の空間２２、３２の室内側部は気密に保持してあり、躯体側竪枠１１及び上枠１３の室外側部は躯体２との間を気密に保持する気密材３３を有し、方立側竪枠９と方立３との間の空間１７は外気に連通しており、方立側竪枠９及び躯体側竪枠１１には各々上枠１３の上面よりも上の位置で、躯体２及び既設上枠３６と上枠１３との間の空間２２、３２に連通する連通孔２０ａ、２０ｂが形成してある。【選択図】図１
2011153455.tif 000002
【特許請求の範囲】
【請求項１】
方立と、方立ての左右に各々枠組した左右の窓枠と、各窓枠に設けた障子とを備え、各窓枠は、方立の側面に固定する方立側竪枠と、既設竪枠に固定する躯体側竪枠と、既設上枠に固定する上枠と、既設下枠に固定する下枠とを有し、上枠は一端を方立側竪枠の見込み面に他端を躯体側竪枠の見込み面に当接してあり、方立側竪枠と方立との間には空間が形成してあり且つこの空間の室内側部は気密に保持してあり、躯体及び既設竪枠と躯体側竪枠との間には空間が形成してあり且つこの空間の室内側部は気密に保持してあり、躯体及び既設上枠と上枠との間には空間が形成してあり且つこの空間の室内側部は気密に保持してあり、躯体側竪枠及び上枠の室外側部は躯体との間を気密に保持する気密材を有し、方立側竪枠と方立との間の空間は外気に連通しており、方立側竪枠及び躯体側竪枠には各々上枠の上面よりも上の位置で、躯体及び既設上枠と上枠との間の空間に連通する連通孔が形成してあることを特徴とする改装用連窓。
【請求項２】
方立と、方立ての左右に各々枠組した左右の窓枠と、各窓枠に設けた障子とを備え、各窓枠は、方立の側面に固定する方立側竪枠と、既設竪枠に固定する躯体側竪枠と、既設上枠に固定する上枠と、既設下枠に固定する下枠とを有し、上枠は一端を方立側竪枠の見込み面に他端を躯体側竪枠の見込み面に当接してあり、方立側竪枠と方立との間には空間が形成してあり且つこの空間の室内側部は気密に保持してあり、既設竪枠と躯体側竪枠との間には空間が形成してあり且つこの空間の室内側部は気密に保持してあり、既設上枠と上枠との間には空間が形成してあり且つこの空間の室内側部は気密に保持してあり、躯体側竪枠及び上枠の室外側部は既設枠との間を気密に保持する気密材を有し、方立側竪枠と方立との間の空間は外気に連通しており、方立側竪枠及び躯体側竪枠には各々上枠の上面よりも上の位置で、既設上枠と上枠との間の空間に連通する連通孔が形成してあることを特徴とする改装用連窓。
【発明の詳細な説明】
【技術分野】
【０００１】
本発明は、改装用連窓に関する。
【背景技術】
【０００２】
特許文献１には、連窓の上枠天面に設けた排水通路を方立の中空に連通させて、上枠天面の排水通路の水を方立の中空から排水することが開示されている。
一方、既設窓枠を残したまま新規連窓を施工する連窓の改装において、方立と共に枠組みした連窓枠を既設窓枠に固定する方法がある。従来、かかる連窓の改装では、連窓枠の室外側で躯体との間を湿式気密材によりシールを施していた。
【先行技術文献】
【特許文献】
【０００３】
【特許文献１】特開平１０−２２０１２０号公報
【発明の概要】
【発明が解決しようとする課題】
【０００４】
しかし、連窓枠と躯体との間を湿式気密材でシールを施していたのでは、施工に手間がかかると共に高価になるという問題があった。これに対して、安価な乾式気密材でシールすることが考えられるが、乾式気密材を用いた場合には、連窓枠と躯体との間に雨水が入り込む場合があり、雨水が室内に浸入するおそれがある。
一方、特許文献１の技術では、方立の中空を排水通路として利用するだけであって、連窓枠と躯体との間から入り込んだ雨水が室内へ浸入するのを防止するものではない。
【０００５】
そこで、本発明は、連窓の改装において、簡易な構成で室内側への雨水の浸入を防止できる改装用連窓の提供を目的とする。
【課題を解決するための手段】
【０００６】
請求項１に記載の発明は、方立と、方立ての左右に各々枠組した左右の窓枠と、各窓枠に設けた障子とを備え、各窓枠は、方立の側面に固定する方立側竪枠と、既設竪枠に固定する躯体側竪枠と、既設上枠に固定する上枠と、既設下枠に固定する下枠とを有し、上枠は一端を方立側竪枠の見込み面に他端を躯体側竪枠の見込み面に当接してあり、方立側竪枠と方立との間には空間が形成してあり且つこの空間の室内側部は気密に保持してあり、躯体及び既設竪枠と躯体側竪枠との間には空間が形成してあり且つこの空間の室内側部は気密に保持してあり、躯体及び既設上枠と上枠との間には空間が形成してあり且つこの空間の室内側部は気密に保持してあり、躯体側竪枠及び上枠の室外側部は躯体との間を気密に保持する気密材を有し、方立側竪枠と方立との間の空間は外気に連通しており、方立側竪枠及び躯体側竪枠には各々上枠の上面よりも上の位置で、躯体及び既設上枠と上枠との間の空間に連通する連通孔が形成してあることを特徴とする。
【０００７】
請求項２に記載の発明は、方立と、方立ての左右に各々枠組した左右の窓枠と、各窓枠に設けた障子とを備え、各窓枠は、方立の側面に固定する方立側竪枠と、既設竪枠に固定する躯体側竪枠と、既設上枠に固定する上枠と、既設下枠に固定する下枠とを有し、上枠は一端を方立側竪枠の見込み面に他端を躯体側竪枠の見込み面に当接してあり、方立側竪枠と方立との間には空間が形成してあり且つこの空間の室内側部は気密に保持してあり、既設竪枠と躯体側竪枠との間には空間が形成してあり且つこの空間の室内側部は気密に保持してあり、既設上枠と上枠との間には空間が形成してあり且つこの空間の室内側部は気密に保持してあり、躯体側竪枠及び上枠の室外側部は既設枠との間を気密に保持する気密材を有し、方立側竪枠と方立との間の空間は外気に連通しており、方立側竪枠及び躯体側竪枠には各々上枠の上面よりも上の位置で、既設上枠と上枠との間の空間に連通する連通孔が形成してあることを特徴とする。
【発明の効果】
【０００８】
請求項１に記載の発明では、躯体及び既設枠と連窓枠との間の空間を室内側と室外側とで二重気密を図り、各竪枠に連通孔を形成して、方立側竪枠と方立との間の空間、躯体及び既設上枠と上枠との間の空間、躯体及び既設竪枠と躯体側竪枠との間の空間を外気に連通し、外気と均等圧にしているので、連窓の室外側に気密材を用いることにより雨水が連窓枠と躯体との間の空間に浸入した場合には、躯体及び既設と連窓枠との間の空間に入り込んだ雨水の排出を促進することで、室内への雨水の浸入を防止きる。しかも、各竪枠には孔を形成するだけであるから、構成が簡易である。
請求項２に記載の発明では、既設枠と連窓枠との間の空間を室内側と室外側とで二重気密を図り、各竪枠に連通孔を形成して、方立側竪枠と方立との間の空間、既設上枠と上枠との間の空間、既設竪枠と躯体側竪枠との間の空間を外気に連通し、外気と均等圧にしているので、連窓の室外側に気密材を用いることにより雨水が連窓枠と既設枠との間の空間に浸入した場合には、連窓枠と既設枠との間の空間に入り込んだ雨水の排出を促進することで、室内への雨水の浸入を防止きる。しかも、各竪枠には孔を形成するだけであるから、構成が簡易である。
尚、請求項１に記載の発明において、連窓枠の室外側では躯体との間を乾式気密材で気密にし、請求項２に記載の発明において、連窓枠の室外側では既設枠との間を乾式気密材で気密にすれば、共に湿式気密材によるシール作業が不用であるから、安価で且つ容易に施工できる。
【図面の簡単な説明】
【０００９】
【図１】第１実施の形態に係る改装用連窓を施工した状態を、図５に示すＢーＢ位置で切断して示す縦断面図である。
【図２】第１実施の形態に係る改装用連窓を施工した状態を、図５に示すＡーＡ位置で切断して示す横断面図である。
【図３】第１実施の形態に係る改装用連窓を施工するときの既設方立ての取外しと、既設下枠の処理方法を（ａ）〜（ｃ）の工程毎に示す斜視図である。
【図４】（ａ）は第１実施の形態に係る改装用連窓の方立上部とその周囲の縦断面図であり、（ｂ）は（ａ）に示すＣーＣ断面図である。
【図５】第１実施の形態に係る連窓を躯体に取付けた状態を室外側から見た正面図である。
【図６】第２実施の形態に係る改装用連窓を図１と同じ位置で切断して示す縦断面図である。
【図７】第２実施の形態に係る改装用連窓を図２と同じ位置で切断し、左躯体側竪枠とその周囲部分を示す横断面図である。
【発明を実施するための形態】
【００１０】
以下に、本発明の実施の形態を説明するが、まず添付図面の図１〜図５を参照して本発明の第１実施の形態を詳細に説明する。尚、図１及び図２では、障子８（図５参照）を省略して示している。本実施の形態に係る改装用連窓１は、既設連窓の方立てを除去して、既設連窓枠を躯体２に残したまま既設枠に取付けて施工するものである。
図５に示すように、改装用連窓１は、方立３と、方立３の左右に各々枠組した左右の窓枠５、７と、各窓枠５、７に設けた障子８とを備えている。
本実施の形態では、左右の各窓枠５、７は各々同じ構成であるから、以下の説明では、左窓枠５（室内側から見て左の窓枠）のみを説明し、右窓枠７の同一部分には同一の符合を付してその説明を省略する。
図１及び図２示すように、左窓枠５は、方立３の側面に固定する方立側竪枠９と、躯体に固定する躯体側竪枠１１と、上枠１３及び下枠１５とを枠組みしてあり、図５に示すように、上枠１３は一端１３ａを方立側竪枠９の見込み面に、他端１３ｂを躯体側竪枠１１の見込み面に当接してある。
図２に示すように、方立３は中空を有し、方立側竪枠９は方立３の左右の側面にねじ固定されている。方立側竪枠９と方立３との間には空間１７が形成してあり且つこの空間１７の室内側端部は室内側気密材１９（二次気密材）により気密に保持されている。尚、方立３の室内側には目板１８が取付けてある。
【００１１】
方立３の上端３ａは、図４（ａ）に示すように躯体２との間に隙間が形成してあり、方立３の下端３ｂは左右の下枠１５、１５間に位置していると共に図１に示すように、既設下枠３０との間に隙間を設けてあり、方立３は既設下枠３０と躯体上部との間で宙に浮いた状態になっている。即ち、方立３の中空は上端３ａ（図４（ａ）参照）及び下端３ｂが大気に連通した状態になっている。
方立側竪枠９は、その上端９ａは方立３と略同じ形状になっており、図１に一点鎖線で抜き出して示すように、方立側竪枠９の下端９ｂは方立３の下端３ｂよりも下方に長く形成してあり、下枠１５に当接して、方立３と方立側竪枠９との間の空間１７（図２参照）を外気に連通している。
方立側竪枠９の上部には、上枠１３の上面よりも上の位置で、上枠１３と躯体２との間の空間２２（後述する）及び上枠１３と既設上枠３６との間の空間３２（後述する）に連通する室外側連通孔２０ａと室内側連通孔２０ｂとが形成してある。
図２に示すように、躯体側竪枠１１は、躯体２に固定されている既設竪枠２４に捨て枠２８を介してねじで固定してあり、躯体２と躯体側竪枠１１との間には空間２１が形成されており、既設竪枠２４と躯体側竪枠１１との間には空間２６が形成されている。尚、捨て枠２８と躯体側竪枠１１との間、及び上枠１３と捨て枠３８（後述する）との間に配置されているのはスペーサ３４である。
【００１２】
躯体側竪枠１１の室内側には縦化粧板２５が設けてあり、縦化粧板２５は改装用連窓１の室内側部で躯体側竪枠１１と既設竪枠２４とにねじ固定されており、縦化粧板２５と躯体側竪枠１１との間は室内側乾式気密材（二次気密材）２７により気密に保持されており、縦化粧材２５と既設竪枠２４との間は室内側乾式気密材（二次気密材）２９により気密に保持されている。
躯体側竪枠１１の室外側端部には室外側縦乾式気密材（一次気密材）３１が設けてあり、室外側縦乾式気密材３１の先端を躯体２に当接して躯体２との間に空間２１を形成していると共に既設竪枠２４との間に空間２６を形成して、これらの空間２１、２６を気密に保持している。
尚、躯体側竪枠１１の上端部には、方立側竪枠９の室外側連通孔２０ａと室内側連通孔２０ｂと同じ位置に同じ形状の連通孔が形成されている。
【００１３】
図１に示すように、上枠１３は、躯体２に固定してある既設上枠３６に捨て枠３８を介してねじ固定してある。上枠１３の室外側部には、躯体２に当接する室外側横乾式横気密材（一次気密材）３３が設けてあり、上枠１３と躯体２との間に空間２２及び既設上枠との間に空間３２に形成していると共にこれらの空間２２、３２を気密に保持している。上枠１３の室内側には、横化粧板３５が設けてあり、横化粧板３５は既設上枠３６と上枠１３とにねじ固定してあるが、上端に設けた室内側乾式気密材（二次気密材）３９を既設上枠３６の室内側部に当接し、室内側乾式気密材（二次気密材）４１を上枠１３に当接して、既設上枠３６と上枠１３の間の空間を室内側で気密に保持している。
【００１４】
下枠１５は、既設下枠３０のレール部分を切除して、既設下枠３０に載置して既設下枠３０にねじ固定してある。下枠１５の室内側にはフック材４３が固定してあり、フック材４３の室外側端に設けた室内側下乾式気密材（二次気密材）４５を下枠１５に当接している。
本実施の形態では、室外側縦乾式気密材３１、３１及び室外側横乾式気密材３３により、連窓枠４の左右上の室外側に連続した一次気密材による一次シールを形成している。また、方立側竪枠９の室内側縦乾式気密材１９、縦化粧板２５に設けた室内側乾式気密材２５、２９、横化粧板３５に設けた室内側乾式気密材３９、４１及びフック材４３に設けた室内側乾式気密材４５により、連窓枠４の室内側外周に連続した二次気密材による二次シールを形成している。
【００１５】
次に、本実施の形態による改装用連窓１の取付け、作用効果について説明する。まず、図３に示すように、既設窓の方立５１を除去するが、既設方立５１の上部と下部との２カ所で切断して中間部を除き、図３（ａ）に示すように既設下枠３０に固定されている下部を引き抜き、図３（ｂ）に示す既設下枠３０の既設方立５１の抜き取り後の小口５２はサンダー等で小口処理をした後、図３（ｃ）に示すように小口５２をアルミプレート５３で覆いその周囲の止水処理を行う。また、図３（ａ）（ｂ）に示すように、既設下枠３０の室外側レール５４を切除する。
図４（ａ）（ｂ）に示すように、躯体２の上部に残された既設方立部分５１ａは、切断した小口に乾式の気密パッキン４６を取付けて塞ぐ。
【００１６】
一方、改装用連窓枠４を組立てるが、連窓枠４の組立ては、左右の窓枠５、７を枠組みした後、左右の方立側竪枠９、９を方立３の側面に固定する。そして、躯体側竪枠１１の室外側に室外側縦乾式気密材３１を嵌め込み、上枠１３に室外側横乾式気密材３３を嵌め込む。
次に、乾式気密材３１、３３を取付けた連窓枠４を躯体２の開口部に室外側から挿入して、既設下枠３０に載置し、躯体側竪枠１１を既設竪枠２４に捨て枠２８を介してねじ固定し、下枠１５を既設下枠３０にねじ固定し、上枠１３を既設上枠３６に捨て枠３８を介してねじ固定する。
一方、連窓枠４の室内側では、方立３に目板１８を取付け、躯体側竪枠１１に縦化粧板２５を固定すると共に上枠１３に横化粧板３５を固定し、下枠１５にフック材４３を固定する。
これにより、化粧板２５、３５及びフック材４３に設けた室内側乾式気密材３９、４１、４５により改装用連窓枠４の室内側に連続した二次シールを形成し、室外側縦乾式気密材３１と室外側横乾式気密材３３とにより室外側に連続した一次シールを形成する。
【００１７】
本実施の形態によれば、躯体側竪枠１１と躯体２との間の空間２１、躯体側竪枠１１と既設竪枠２４との間の空間２６、上枠１３と躯体２との間の空間２２及び上枠１３と既設上枠３６との間の空間３２は、室内側と室外側とで二重気密を図ると共に、方立側竪枠９及び躯体側竪枠１１に連通孔２０ａ、２０ｂを形成して、方立側竪枠９と方立３との間の空間１７、上枠１３と躯体２との間の空間２２、上枠１３と既設上枠３６との間の空間３２、躯体側竪枠１１と躯体２との間の空間２１、躯体側竪枠１１と既設竪枠２４との間の空間２６を外気に連通し、外気と均等圧にしているので、連窓枠４の室外側に乾式気密材３１、３３を用いることにより雨水が連窓枠４と躯体２との間の空間２１、２２、連窓枠４と既設竪枠２４との間の空間２６、連窓枠４と既設上枠３６との間の空間３２に浸入した場合には、これらの空間２１、２２、２６、３２に入り込んだ雨水の排出を促進することで、室内への雨水の浸入を防止できる。
連窓の改装において、連窓枠４の室外側では躯体２との間を室外側縦乾式気密材３１、３１と室外側横乾式気密材３３で気密にしているので、湿式気密材によるシール作業が不用であるから、安価で且つ容易に施工できる。
各竪枠９、１１には孔２０ａ、２０ｂを形成するだけであるから、構成が簡易である。
連窓枠４を、既設方立５１を除去した後、躯体開口部に挿入し、既設窓枠２４、３６にねじ固定しているので、改装用連窓１の施工が容易にできる。
【００１８】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図６及び図７に第２実施の形態を示す。図６は、第２実施の形態に係る改装用連窓を図１と同じ位置で切断して示す縦断面図であり、図７は第２実施の形態に係る改装用連窓を図２と同じ位置で切断し、左躯体側竪枠とその周囲部分を示す横断面図である。尚、図７において、右躯体側竪枠とその周囲部分は図７に示す左側躯体側竪枠とその周囲部分の構成と同じであるから、省略する。
この第２実施の形態では、図６に示すように、室外側横乾式気密材３３は、既設上枠３６に当接して既設上枠３６との間を気密に保持している。また、図７に示すように、室外側縦乾式気密材３１は既設竪枠２４に当接して既設竪枠２４との間を気密に保持している。
また、図６に示すように、上枠１３の室内側端はフック材５７に係止して既設上枠３６に固定してあり、既設上枠３６と上枠１３との室内側端はシールテープ５９により気密に保持している。図７に示すように竪枠１１の室内側端はフック材５７に係止して既設竪枠２４に固定してあり、室内側における竪枠１１と既設竪枠２４との間は乾式気密材６１とシールテープ５９により気密に保持している。
【００１９】
この第２実施の形態によれば、第１実施の形態と異なり、連窓枠４の室外側に取付ける室外側縦乾式気密材３１と室外側横乾式気密材３３とは共に既設枠３６、２４に当接していて、連窓枠４と既設枠３６、２４との間に空間３２、２６を形成している点が第１実施の形態と異なっている。この第２実施の形態によれば、第１実施の形態と同様の作用効果を得ることができる。
また、室内側部における既設上枠３６と上枠１３との間はシールテープ５９で気密に保持し、室内側部における竪枠１１と既設竪枠２４との間は乾式気密材６１とシールテープ５９とにより気密にしているので、第１実施の形態よりも室内側のシールが簡単にできる。
【００２０】
本発明は、上述した実施の形態に限らず、本発明の要旨を逸脱しない範囲で種々変形可能である。
例えば、方立側竪枠９及び躯体側竪枠１１に形成した連通孔２０ａ、２０ｂは２つに限らず、一つだけであっても良いし、また、形状や寸法は制限されない。
障子８は、引き戸障子に限らず、嵌め殺し障子でも良い。
【符号の説明】
【００２１】
１      改装用連窓
２      躯体
３      方立
４      改装用連窓枠
５      左窓枠
７      右窓枠
９      方立側竪枠
１１    躯体側竪枠
１３    上枠
１３ａ  一端
１３ｂ  他端
１５  下枠
１７    方立側空間
１９、２７、２９、３９、４１、４５    気密材（室内側気密材）
２０ａ、２０ｂ    連通孔
２１    空間（躯体と躯体側竪枠との間の空間）
２２    空間（躯体と上枠との間の空間）
２６    空間（既設竪枠と躯体側竪枠との間の空間）
２４    既設竪枠
３０    既設下枠
３１    室外側縦乾式気密材（気密材）
３２    空間（既設上枠と上枠との間の空間）
３３    室外側横乾式気密材（気密材）
５９    シールテープ（室内側気密材）
【図１】
2011153455.tif 000003
【図２】
2011153455.tif 000004
【図３】
2011153455.tif 000005
【図４】
2011153455.tif 000006
【図５】
2011153455.tif 000007
【図６】
2011153455.tif 000008
【図７】
2011153455.tif 000009